(57)【要約】【解決手段】マルチメディア制御システムは、ユーザが視覚的および直感的に認識できる方法で番組編成スケジュール情報を示す。マルチメディア制御システムは、番組編成情報の表示、マルチメディア装置の制御、ホーム自動化装置等に用いられる。一実施形態では、番組編成情報の表示に用いられた制御スクリーンは、ユーザに番組編成の選択を許可し、マルチメディア装置を制御し、またはスクリーンに触れることで他の機能を実行するタッチスクリーンとして構成される。一実施形態では、このシステムは、ユーザが選択可能な一貫性のある直観的に認識可能なユーザインタフェースを用いる。一実施形態では、番組編成情報は、例えばスポーツの得点、コマーシャルの時間、ニュース報道、ドキュメンタリーなどの現在の番組編成情報をユーザに提供するために動的にアップデートする。【選択図】図１Ａ
2008519550.tif 000002
【特許請求の範囲】
【請求項１】
プロセッサと、
前記プロセッサに備えられたタッチスクリーンディスプレイと、
少なくとも１つ以上の通信チャネルから番組編成情報を受信するように構成され、前記プロセッサに備えられた通信インターフェースと、
前記プロセッサに備えられた１つ以上のリモートコントロールインターフェースと、を備え、
前記プロセッサは、前記通信インターフェースから番組編成情報を受信し、この番組編成情報を番組画面であるタッチスクリーンディスプレイ上に表示し、前記タッチスクリーンディスプレイからのユーザ入力に応じて、前記１つ以上のリモートコントロールインターフェースを用いて１つ以上のマルチメディア機器を制御し、前記番組画面に表示された番組のユーザ選択に応じてダイアログ型ディスプレイを用意し、前記番組編成情報の１つ以上の番組の現在のコンテンツを示す番組画面を更新するように構成する、
ことを特徴とするマルチメディア制御システム。
【請求項２】
前記リモートコントロールインターフェースは、赤外線インターフェースを含む、ことを特徴とする請求項１に記載のマルチメディア制御システム。
【請求項３】
前記リモートコントロールインターフェースは、ＲＦインターフェースを含む、ことを特徴とする請求項１に記載のマルチメディア制御システム。
【請求項４】
前記通信チャネルは、コンピュータネットワークを含む、ことを特徴とする請求項１に記載のマルチメディア制御システム。
【請求項５】
前記通信チャネルは、インターネット接続を含む、ことを特徴とする請求項１に記載のマルチメディア制御システム。
【請求項６】
前記通信チャネルは、無線ネットワークチャネルを含む、ことを特徴とする請求項１に記載のマルチメディア制御システム。
【請求項７】
前記通信インターフェースは、衛星ラジオ受信機を含む、ことを特徴とする請求項１に記載のマルチメディア制御システム。
【請求項８】
前記通信インターフェースは、ＬＡＮインターフェースを含む、ことを特徴とする請求項１に記載のマルチメディア制御システム。
【請求項９】
前記通信インターフェースは、無線ＬＡＮインターフェースを含む、ことを特徴とする請求項１に記載のマルチメディア制御システム。
【請求項１０】
前記番組画面は、１つ以上のグラフィカルユーザインターフェースボタンを含む、ことを特徴とする請求項１に記載のマルチメディア制御システム。
【請求項１１】
前記グラフィカルユーザインターフェースボタンの少なくとも１つは、所望の番組を選択するボタンを含む、ことを特徴とする請求項１０に記載のマルチメディア制御システム。
【請求項１２】
前記グラフィカルユーザインターフェースボタンの少なくとも１つは、機器制御画面を選択するボタンを含む、ことを特徴とする請求項１０に記載のマルチメディア制御システム。
【請求項１３】
前記グラフィカルユーザインターフェースボタンの少なくとも１つは、設定画面を選択するボタンを含む、ことを特徴とする請求項１０に記載のマルチメディア制御システム。
【請求項１４】
前記グラフィカルユーザインターフェースボタンの少なくとも１つは、選択された番組に対応するダイアログ型ウィンドウを開くボタンを含む、ことを特徴とする請求項１０に記載のマルチメディア制御システム。
【請求項１５】
前記番組編成情報は、スポーツイベントの番組の現在の得点に関する情報を含む、ことを特徴とする請求項１に記載のマルチメディア制御システム。
【請求項１６】
前記番組編成情報は、ニュース番組の現在のニューストピックに関する情報を含む、ことを特徴とする請求項１に記載のマルチメディア制御システム。
【請求項１７】
前記番組編成情報は、ニュース番組の現在のニューストピックに関する情報を含む、ことを特徴とする請求項１に記載のマルチメディア制御システム。
【請求項１８】
前記番組画面は、少なくとも１つ以上のグラフィカルユーザインターフェースボタンを含み、
各グラフィカルユーザインターフェースボタンは１つの番組に対応し、各グラフィカルユーザインターフェースボタンは前記番組に対応するアイコンを表示するよう構成される、ことを特徴とする請求項１に記載のマルチメディア制御システム。
【請求項１９】
前記アイコンは、前記番組のビデオコンテンツを表示する、ことを特徴とする請求項１８に記載のマルチメディア制御システム。
【請求項２０】
前記アイコンは、前記番組の１回の放映分に対応する、ことを特徴とする請求項１８に記載のマルチメディア制御システム。
【請求項２１】
前記番組編成情報は、ケーブルテレビの番組編成を含む、ことを特徴とする請求項１に記載のマルチメディア制御システム。
【請求項２２】
前記番組編成情報は、衛星テレビの番組編成を含む、ことを特徴とする請求項１に記載のマルチメディア制御システム。
【請求項２３】
前記番組編成情報は、衛星ラジオの番組編成を含む、ことを特徴とする請求項１に記載のマルチメディア制御システム。
【請求項２４】
前記番組編成情報は、ラジオ放送の番組編成を含む、ことを特徴とする請求項１に記載のマルチメディア制御システム。
【請求項２５】
前記番組編成情報は、ＤＶＤの番組編成を含む、ことを特徴とする請求項１に記載のマルチメディア制御システム。
【請求項２６】
前記番組編成情報は、音楽ＣＤの番組編成を含む、ことを特徴とする請求項１に記載のマルチメディア制御システム。
【請求項２７】
前記番組編成情報は、事前に記録された番組編成を含む、ことを特徴とする請求項１に記載のマルチメディア制御システム。
【請求項２８】
前記番組編成情報は、ＰＶＲに事前に記録された番組編成を含む、ことを特徴とする請求項１に記載のマルチメディア制御システム。
【請求項２９】
少なくとも１つの通信チャネルを介して娯楽番組編成情報を受信するステップと、
少なくとも１つの通信チャネルを介して補足番組編成情報を受信するステップと、
番組編成情報を番組画面であるディスプレイ画面上に表示するステップと、
１つ以上の娯楽番組が進行する間その現在のコンテンツを表示し、前記番組画面を前記補足番組編成情報に従って更新するステップと、
第１のユーザ入力コマンドに応じて、第１の娯楽番組用のダイアログ型ウィンドウを開くステップと、
第２のユーザ入力コマンドに応じて、１つ以上のマルチメディア機器に第２の娯楽番組を選択するリモートコントロールコマンドを送信するステップと、
を含むことを特徴とする、１つ以上のマルチメディア機器を制御する方法。
【請求項３０】
前記リモートコントロールコマンドを送信するステップは、赤外線信号を送信するステップを含む、ことを特徴とする請求項２９に記載の方法。
【請求項３１】
前記リモートコントロールコマンドを送信するステップは、ＲＦ信号を送信するステップを含む、ことを特徴とする請求項２９に記載の方法。
【請求項３２】
前記娯楽番組編成情報を受信するステップは、コンピュータネットワークからデータを受信するステップを含む、ことを特徴とする請求項２９に記載の方法。
【請求項３３】
前記娯楽番組編成情報を受信するステップは、インターネット接続からデータを受信するステップを含む、ことを特徴とする請求項２９に記載の方法。
【請求項３４】
前記娯楽番組編成情報を受信するステップは、無線通信チャネルからデータを受信するステップを含む、ことを特徴とする請求項２９に記載の方法。
【請求項３５】
前記娯楽番組編成情報を受信するステップは、無線コンピュータネットワークからデータを受信するステップを含む、ことを特徴とする請求項２９に記載の方法。
【請求項３６】
前記娯楽番組編成情報を受信するステップは、衛星ラジオシステムからデータを受信するステップを含む、ことを特徴とする請求項２９に記載の方法。
【請求項３７】
前記娯楽番組編成情報を受信するステップは、ローカルエリアネットワークからデータを受信するステップを含む、ことを特徴とする請求項２９に記載の方法。
【請求項３８】
前記娯楽番組編成情報を受信するステップは、ケーブルテレビネットワークからデータを受信するステップを含む、ことを特徴とする請求項２９に記載の方法。
【請求項３９】
前記番組画面は、１つ以上のグラフィカルユーザインターフェースボタンを含む、ことを特徴とする請求項２９に記載の方法。
【請求項４０】
前記グラフィカルユーザインターフェースボタンの少なくとも１つは、所望の番組を選択するボタンを含む、ことを特徴とする請求項３９に記載の方法。
【請求項４１】
機器制御画面を選択するステップをさらに含む、ことを特徴とする請求項２９に記載の方法。
【請求項４２】
設定画面を選択するステップをさらに含む、ことを特徴とする請求項２９に記載の方法。
【請求項４３】
番組表示形式を選択するステップをさらに含む、ことを特徴とする請求項２９に記載の方法。
【請求項４４】
番組画面形式を選択するステップをさらに含む、ことを特徴とする請求項２９に記載の方法。
【請求項４５】
前記番組画面形式は、現在利用可能な番組に対応する番組ボタンのマトリクスを含む、ことを特徴とする請求項４４に記載の方法。
【請求項４６】
前記番組画面形式は、第１軸が時間に対応し第２軸がチャンネルに対応するマトリクスを含む、ことを特徴とする請求項４４に記載の方法。
【請求項４７】
前記番組画面形式は、第１軸が時間に対応し第２軸がジャンルに対応するマトリクスを含む、ことを特徴とする請求項４４に記載の方法。
【請求項４８】
前記補足番組編成情報は、スポーツイベントの番組の現在の得点に関する情報を含む、ことを特徴とする請求項２９に記載の方法。
【請求項４９】
前記補足番組編成情報は、ニュース番組の現在のニューストピックに関する情報を含む、ことを特徴とする請求項２９に記載の方法。
【請求項５０】
前期補足番組編成情報は、科学関連番組の現在のトピックに関する情報を含む、ことを特徴とする請求項２９に記載の方法。
【請求項５１】
前記番組画面は、少なくとも１つ以上のグラフィカルユーザインターフェースボタンを含み、
各グラフィカルユーザインターフェースボタンは１つの番組に対応し、各グラフィカルユーザインターフェースボタンは前記番組に対応するアイコンを表示するよう構成される、ことを特徴とする請求項２９に記載の方法。
【請求項５２】
前記アイコンは、前記番組のビデオコンテンツを表示する、ことを特徴とする請求項５１に記載の方法。
【請求項５３】
前記アイコンは、前記番組の１回の放映分に対応する、ことを特徴とする請求項５１に記載の方法。
【請求項５４】
前記娯楽番組編成情報は、ケーブルテレビの番組編成を含む、ことを特徴とする請求項２９に記載の方法。
【請求項５５】
前記娯楽番組編成情報は、衛星テレビの番組編成を含む、ことを特徴とする請求項２９に記載の方法。
【請求項５６】
前記娯楽番組編成情報は、衛星ラジオの番組編成を含む、ことを特徴とする請求項２９に記載の方法。
【請求項５７】
前記娯楽番組編成情報は、ラジオ放送の番組編成を含む、ことを特徴とする請求項２９に記載の方法。
【請求項５８】
前記娯楽番組編成情報は、ＤＶＤの番組編成を含む、ことを特徴とする請求項２９に記載の方法。
【請求項５９】
前記娯楽番組編成情報は、音楽ＣＤの番組編成を含む、ことを特徴とする請求項２９に記載の方法。
【請求項６０】
前記娯楽番組編成情報は、事前に記録された番組編成を含む、ことを特徴とする請求項２９に記載の方法。
【請求項６１】
前記娯楽番組編成情報は、ＰＶＲに事前に記録された番組編成を含む、ことを特徴とする請求項２９に記載の方法。
【請求項６２】
ヒューマンインターフェース機器は、タッチスクリーンを含む、ことを特徴とする請求項２９に記載の方法。
【請求項６３】
ヒューマンインターフェース機器は、コンピュータマウスを含む、ことを特徴とする請求項２９に記載の方法。
【請求項６４】
ヒューマンインターフェース機器は、トラックボールを含む、ことを特徴とする請求項２９に記載の方法。
【請求項６５】
ヒューマンインターフェース機器は、音声認識システムを含む、ことを特徴とする請求項２９に記載の方法。
【発明の詳細な説明】
【技術分野】
【０００１】
本発明は、テレビ番組編成および／またはラジオ番組編成の選択システムに関する。
【背景技術】
【０００２】
ビデオレコーダ、ＤＶＤプレーヤー、ＭＰ３プレーヤー、カセットプレーヤー、ＣＤプレーヤー、ケーブルまたは衛星テレビ用のセットトップボックス（ＳＴＢ）、ＴＩＶＯなど新しい種類のデジタル式ビデオ録画再生装置（ＰＶＲ）などのマルチメディア機器は、消費者の間で大変人気がある。アメリカ合衆国では、ほぼ一家に１台はこのような機器があると言ってよい。
【０００３】
こうした機器に対するユーザの不満で最も一般的なのは、その使い方が難しくわかりにくいことである。マルチメディア機器が提示するユーザをオプションに誘導するためのメニューも、解りにくく不可解である。こうしたメニューは単純化されておりテキストベースである。カーソルの見た目や動作は初歩的で洗練されておらず、ユーザはメニュー選択肢の非直感的な使用により簡単に混乱させられる。
【０００４】
ケーブルおよび衛星事業者によるマルチメディア番組予定情報は、時代遅れの表示方式に実際（物質的）にとらわれてきた。サービス事業者は、視聴者は新聞などの印刷媒体から発生したテレビ番組表提示方法を読み取り理解することに慣れているという間違った思い込みに陥っている。
【０００５】
テレビ番組予定情報は、従来、縦カラム式または表形式で表示されてきた。表形式では、番組予定情報は２次元の表で表示される。縦軸はテレビのチャンネル番号を、横軸は時間枠を表す。各チャンネルのテレビ番組の名称は、表の横方向にリストされる。各番組はその番組が放映される時間枠にリストされる。
【０００６】
縦カラム式では、チャンネルと番組名は、時間見出の下に表示される。縦カラム式表示の一例に、ＴＶガイドがある。これは印刷物に用いると効果がある。読み手はカラム全体に目を通して所望の時間枠を見つけ、その時間に始まる番組のチャネルと番組名を全て見ることができるからである。
【０００７】
テレビ番組表の主たる形式は、グリッド型である。この形式は、テレビ画面上でのテレビ番組表情報の表示に一般的である。テレビ番組表情報は、表形式に大変似た方法で表示される。２次元表形式で提示される。縦軸にはチャンネル番号またはＩＤを表示し、横軸には３０分単位で増加する時間を表示する。番組は表には表示されない。番組は四角い色つきのブロックで表現される。このブロックは、番組の開始時間から終了時間まで横方向に延びている。
【０００８】
視聴者はチャンネルリストをスクロールする。または、自動的にローテーションする。時間枠以上の情報は表示されず、時間が進むにつれて右方向にシフトするだけである。
【発明の開示】
【発明が解決しようとする課題】
【０００９】
このグリッド型の問題として、テレビの解像度、画面のサイズ、見る距離による制限がある。グリッド型では、表示される情報が１、２時間に制限され、チャンネルリストは７チャンネルほどに制限される。さらに、利用例によっては、グリッド内に広告情報を入れようとするものもある。これは、視聴者に対する情報の視覚的負荷につながり、見た目が雑然とする。
【００１０】
ＳＴＢおよびＰＶＲでは、番組編成情報の表示にテレビ画面を用いる。ユーザは、リモートコントロールまたはその他の機器を用いて画面上のカーソルを操作し、番組編成を選択しなければならない。これは面倒で苛立たしい操作であり、ユーザは、番組編成リストをスクロールする間は番組または映像を視聴することができない。
【課題を解決するための手段】
【００１１】
これらの問題点およびその他の問題点は、マルチメディア制御システムにより解決される。
【００１２】
この制御システムは、ユーザに対して、視覚的および知的に直感できる方式で番組予定情報を提示する。マルチメディア制御システムは、番組編成情報の表示、マルチメディア機器の制御、ホームオートメーション機器の制御などに用いることができる。一実施形態において、番組編成情報の表示に用いられる制御画面はタッチスクリーンとして構成され、ユーザは、画面にタッチすることにより、番組編成の選択、マルチメディア機器の制御、またはその他の機能の実行を行うことができる。一実施形態において、このシステムは、ユーザが選択可能な、一貫性のある直感的ユーザインターフェースを用いる。一実施形態において、番組編成情報は、例えばスポーツの得点、コマーシャルの時間、ニュース報道、ドキュメンタリーなどの現在の番組編成情報をユーザに提供するために動的にアップデートする。
【００１３】
一実施形態において、番組ガイド画面は、現在放映中、放映が終了した、または予定されている番組リストを提供する。一実施形態において、番組ガイド画面はテレビ画面から分離しており、ユーザは番組ガイドスケジュールを見ている間も番組を視聴することができる。
【００１４】
一実施形態において、番組編成情報は、比較的多数のチャンネルの番組編成コンテンツを単一の制御画面上に表示することができるマトリクス形式である。
【００１５】
一実施形態において、番組ガイド情報は、マルチカラムモードである。２カラムモードでは、左側のカラムに利用可能なチャンネルをエンドレスに回転するリスト様式で表示し、右側のカラムにハイライトされたチャンネルの番組を表示する。ユーザは、チャンネルリストを上下にスクロールまたはページ送りを行う。インターフェースは、カラム全体を通じてスクロールおよびページ送りに対する一貫性がある。このインターフェースでは、ウィスパリングアロー（ｗｈｉｓｐｅｒｉｎｇ  ａｒｒｏｗ）にも一貫性があり、これはこの方向にさらに情報が存在することを示している。また、情報は、上述のように、ハイライトされたバーが右に移動するにつれてより詳細になる（逐次開示）。現在の時間枠が、画面に表示される。
【００１６】
ユーザが時間枠を変更すると、その時間枠に放映された、または放映されている、または放映されることになる、番組の名前に応じて番組タイトルが変化する。
【００１７】
一実施形態において、マルチメディア制御システムは、プロセッサと、タッチスクリーンディスプレイと、少なくとも１つの通信チャネルから番組編成情報を受信する通信インターフェースと、１つ以上のリモートコントロールインターフェースとを備える。上記プロセッサは、上記通信インターフェースより娯楽番組編成情報を受信し、この番組編成情報を番組画面であるタッチスクリーンディスプレイ上に表示する。上記プロセッサは、上記タッチスクリーンディスプレイからのユーザ入力に応じて、上記リモートコントロールインターフェースを用いて１つ以上のマルチメディア機器を制御する。
上記プロセッサは、上記番組画面に表示された番組のユーザ選択に応じてダイアログ型ディスプレイを用意する。上記プロセッサは、番組画面を更新して上記番組編成情報の１つ以上の番組の現在のコンテンツを示す。
【００１８】
一実施形態において、上記リモートコントロールインターフェースは赤外線インターフェースを含む。一実施形態において、上記リモートコントロールインターフェースはＲＦインターフェースを含む。一実施形態において、上記通信チャネルはコンピュータネットワークを含む。
【００１９】
一実施形態において、上記通信チャネルはインターネット接続を含む。一実施形態において、上記通信チャネルは無線ネットワークチャネルを含む。一実施形態において、上記通信インターフェースは衛星ラジオ受信機を含む。一実施形態において、上記通信インターフェースはＬＡＮインターフェースを含む。一実施形態において、上記通信インターフェースは無線ＬＡＮインターフェースを含む。
【００２０】
一実施形態において、上記番組画面は１つ以上のグラフィカルユーザインターフェースボタンを含む。一実施形態において、上記グラフィカルユーザインターフェースボタンは所望の番組を選択するボタンを含む。一実施形態において、上記グラフィカルユーザインターフェースボタンは機器制御画面を選択するボタンを含む。一実施形態において、上記グラフィカルユーザインターフェースボタンは設定画面を選択するボタンを含む。一実施形態において、上記グラフィカルユーザインターフェースボタンは選択された番組に対応するダイアログ型ウィンドウを開くボタンを含む。
【００２１】
一実施形態において、上記番組編成情報はスポーツイベントの番組の現在の得点に関する情報を含む。一実施形態において、上記番組編成情報はニュース番組の現在のニューストピックに関する情報を含む。一実施形態において、上記番組編成情報はニュース番組の現在のニューストピックに関する情報を含む。
【００２２】
一実施形態において、上記番組画面は少なくとも１つ以上のグラフィカルユーザインターフェースボタンを含み、各グラフィカルユーザインターフェースボタンは１つの番組に対応し、各グラフィカルユーザインターフェースボタンはその番組に対応するアイコンを表示するよう構成される。一実施形態において、上記アイコンは上記番組のビデオコンテンツを表示する。一実施形態において、上記アイコンは上記番組の１回の放映分に対応する。
【００２３】
一実施形態において、上記番組編成コンテンツはケーブルテレビの番組編成を含む。一実施形態において、上記番組編成コンテンツは衛星テレビの番組編成を含む。一実施形態において、上記番組編成コンテンツは衛星ラジオの番組編成を含む。一実施形態において、上記番組編成コンテンツはラジオ放送の番組編成を含む。一実施形態において、上記番組編成コンテンツはＤＶＤの番組編成を含む。一実施形態において、上記番組編成コンテンツは音楽ＣＤの番組編成を含む。一実施形態において、上記番組編成コンテンツは事前に記録された番組編成を含む。一実施形態において、上記番組編成コンテンツはＰＶＲに事前に記録された番組編成を含む。
【００２４】
一実施形態において、１つ以上のマルチメディア機器は、少なくとも１つの通信チャネルを介して娯楽番組編成情報と、少なくとも１つの通信チャネルを介して補足番組編成情報とを受信するシステムにより制御される。上記番組編成情報は番組画面であるディスプレイ画面上に表示され、上記補足番組編成情報に従って更新され、１つ以上の娯楽番組が進行する間その現在のコンテンツを表示する。第１のユーザ入力コマンドに応じて、第１の娯楽番組用のダイアログ型ウィンドウを開くことができる。第２のユーザ入力コマンドに応じて、１つ以上のマルチメディア機器に第２の娯楽番組を選択するリモートコントロールコマンドが送信される。
【００２５】
一実施形態において、上記リモートコントロールコマンドは赤外線信号を含む。一実施形態において、上記リモートコントロールコマンドはＲＦ信号を含む。
【００２６】
一実施形態において、娯楽番組編成データはコンピュータネットワークから受信される。一実施形態において、娯楽番組編成データはインターネット接続から受信される。一実施形態において、娯楽番組編成データは無線通信チャネルから受信される。一実施形態において、娯楽番組編成データは無線コンピュータネットワークから受信される。一実施形態において、娯楽番組編成データは衛星ラジオシステムから受信される。一実施形態において、娯楽番組編成データはローカルエリアネットワークから受信される。一実施形態において、娯楽番組編成データはケーブルテレビネットワークから受信される。
【００２７】
一実施形態において、上記ユーザは番組画面形式を選択することができる。一実施形態において、上記番組画面形式は、現在利用可能な番組に対応する番組ボタンのマトリクスを含む。一実施形態において、上記番組画面形式は、第１軸が時間に対応し第２軸がチャンネルに対応するマトリクスを含む。一実施形態において、上記番組画面形式は、第１軸が時間に対応し第２軸がジャンルに対応するマトリクスを含む。
【００２８】
一実施形態において、上記補足番組編成情報はスポーツイベントの番組の現在の得点に関する情報を含む。一実施形態において、上記補足番組編成情報はニュース番組の現在のニューストピックに関する情報を含む。一実施形態において、上記補足番組編成情報は科学関連番組の現在のトピックに関する情報を含む。
【００２９】
一実施形態において、上記ヒューマンインターフェース機器はタッチスクリーンを含む。一実施形態において、上記ヒューマンインターフェース機器はコンピュータマウスを含む。一実施形態において、上記ヒューマンインターフェース機器はトラックボールを含む。一実施形態において、上記ヒューマンインターフェース機器は音声認識システムを含む。
【発明を実施するための最良の形態】
【００３０】
図１Ａは、マルチメディア娯楽システム１０２に関連して用いられるマルチメディア制御システム１０１を示す。マルチメディア娯楽システム１０２は、通常、テレビ１１０と、１つ以上のマルチメディア機器とを含み、これらのマルチメディア機器は、例えば、セットトップボックス（ＳＴＢ）１０６、デジタル式ビデオ録画再生装置（ＰＶＲ）１０５、ＤＶＤプレーヤー１０４、ＡＶ受信機１０３、などである。ユーザは制御システム１０１を用いて、リモートコントロールタイプの機能を実行する（例えば、音量の制御、チャンネルの制御、入力機器の選択、早送り、巻戻し、スローモーション、など）。一実施形態において、制御システム１０１は、番組編成情報を表示するタッチスクリーンディスプレイと、ユーザがマルチメディア娯楽システムを制御できるようにするプログラム可能なタッチスクリーンボタンとを備える。一実施形態において、制御システム１０１は、ユニバーサルリモートコントロールの機能と、通常はオンスクリーン番組編成により可能となる機能を備える。
【００３１】
図１Ｂは、マルチメディア娯楽システム１０２と通信するリピーター１６０に関連して用いられるマルチメディア制御システム１０１を示す。リピーターは、マルチメディア制御システム１０１からコマンドを受信し、このコマンドをマルチメディア娯楽システム１０２の機器に転送する。一実施形態において、マルチメディア制御システム１０１は、無線ＲＦ通信を用いてリピーター１６０と通信し、リピーター１６０は、赤外線および／または無線ＲＦ通信を用いてマルチメディア娯楽システム１０２と通信する。マルチメディア制御システム１０１とリピーター１６０との間で無線ＲＦ通信を用いるということは、ユーザが赤外線機器を共通に用いるように、マルチメディア制御システム１０１でマルチメディア娯楽システム１０２を「指す（ポイント）」必要がないということを意味する。リピーター１６０は、リピーター１６０の赤線送信機／受信機をマルチメディア娯楽システム１０２の方に指し向けるように配置してもよく、そうすることでユーザはマルチメディア制御システム１０１を持って部屋や家のなかを自由に動き回ることができる。
【００３２】
一実施形態において、リピーターは、制御システム１０１からマルチメディア娯楽システム（機器）１０２のうち１つ以上にコマンドを転送する片方向リピーターである。一実施形態において、リピーターは、制御システム１０１からマルチメディア機器１０２のうち１つ以上にコマンドを転送し、マルチメディア娯楽システム（機器）１０２のうち上記１つ以上から制御システム１０１にデータまたはコマンドを転送する双方向リピーターである。
【００３３】
図１Ｃは、マルチメディア制御システム１０１の一実施形態を示す。図１Ｄは、ドッキングステーション１２０を有する図１Ｃのマルチメディア制御システムを示す。一実施形態において、制御システム１０１は、内部電源により電力が供給される（例えば、バッテリー、燃料電池など）。一実施形態において、ドッキングステーション１２０は制御システム１０１に電力を供給して、上記内部電源を充電してその電力を節約する。
【００３４】
図２は、マルチメディア制御システム１０１のブロック図である。システム１０１は、制御モジュール２０４と、タッチスクリーンディスプレイ２０３とを含む。タッチスクリーン２０３は、ディスプレイ２０２と、タッチスクリーン２０１とを含む。制御モジュール２０４は、ディスプレイ画面２０２が備えられるビデオドライバ２２２と、タッチスクリーン２０１が備えられるタッチスクリーンコントローラ２２１を含む。ビデオドライバ２２２およびタッチスクリーンコントローラ２２１は、プロセッサ２０５に備えられる。プロセッサ２０５には、追加的なマルチメディア機器インターフェース２０６、リモートコントロールインターフェース２０７、およびネットワークインターフェース２０８が備えられる。リピーターインターフェース２３０は、プロセッサ２０５に備えられる。一実施形態において、プロセッサ２０５には、オーディオ入力機器２１０およびオーディオ出力機器２１１が備えられている。一実施形態において、ネットワークインターフェース２０８はＬＡＮインターフェースとして構成される。一実施形態において、ネットワークインターフェース２０８は無線ＬＡＮインターフェースとして構成される。一実施形態において、リモートコントロールインターフェース２０７は赤外線（ＩＲ）インターフェースを含む。一実施形態において、リモートコントロールインターフェース２０７はラジオ周波数（ＲＦ）インターフェースを含む。一実施形態において、マルチメディア機器インターフェース２０６は無線インターフェースとして構成される。
【００３５】
任意のリピーターインターフェース２３０が、リピーター１６０と通信するよう構成される。機器インターフェース２０６は、有線であってもよいし、無線であってもよい。例えば、セットトップボックスの多くはリモートコントロールに無線ＲＦを用いており、このような機器と通信するために、機器インターフェース２０６を無線ＲＦインターフェースとして構成することができる。一実施形態において、リピーターインターフェース２３０は、機器インターフェース２０６またはネットワークインターフェース２０８と組み合わされて、１つの無線インターフェースとされてもよい。
【００３６】
一実施形態において、マルチメディア制御システム１０１は、マルチメディア機器インターフェース２０６を用いて、ＳＴＢ１０６またはＰＶＲ１０５などのマルチメディア機器から番組編成情報を取得する。
【００３７】
一実施形態において、マルチメディア制御システム１０１は、衛星ラジオ受信機（例えば、Ｓｉｒｉｕｓ  ｒａｄｉｏ、ＸＭ  ｒａｄｉｏ、その他）などのマルチメディア機器から番組編成情報を取得する。番組編成情報は、１つ以上のラジオチャネルまたは制御チャネルを通じて与えられてもよい。このような実施形態では、マルチメディア機器２０６は、変調された情報を上記１つ以上のラジオチャネルに復調するモデムを含む。
【００３８】
一実施形態において、マルチメディア制御システム１０１は、ネットワークインターフェース２０８を用いてインターネットサーバから番組編成情報を取得する。
【００３９】
リモートコントロールインターフェース２０７は、（直接またはリピーター１６０を介して）リモートコントロールコードを用いてマルチメディア娯楽システム（機器）１０２のうち１つ以上を制御するよう構成される。プロセッサは、ディスプレイ用の情報をフォーマットし、その情報をビデオドライバ２２２に与える。タッチスクリーンコントローラ２２１は、タッチスクリーン２０１とインターフェースする。ユーザがタッチスクリーン２０１にタッチした場合、タッチスクリーンコントローラ２２１によりプロセッサ２０５にユーザがタッチスクリーンに触れた場所に関する情報が与えられる。その他のユーザ入力機器として、マウス、キーボード、トラックボールなどを使ってもよいが、通常、ユーザにとってはタッチスクリーン２０１がずっと便利である。一実施形態において、オーディオ入力機器２１１は、音声起動コマンドを与えるために音声認識処理に関連して用いられる。
【００４０】
一実施形態において、セットアップ１０１は、家庭用コンピュータ上で実行するプログラムを用いることにより構成される場合もある。一実施形態において、システム１０１は、ユーザが、キーボード、コンピュータマウス、その他などの機器を接続できるようにするための、１つ以上の入力／出力ポート（例えば、ＵＳＢポート、ファイヤーワイヤーポート、その他）を含む。
【００４１】
図３は、マルチメディア制御システムの一実施形態のブロック図であって、マルチメディア制御システム１０１は、ＳＴＢ１０６やＰＶＲ１０５などの１つ以上のマルチメディア機器３０１から番組編成情報を取得する。マルチメディア機器３０１は、ケーブルネットワーク、衛星ネットワーク、その他から供給される番組編成情報とビデオ画像とを受信する。マルチメディア機器３０１は、番組編成情報をマルチメディア制御システム２００に与える。マルチメディア制御システム２００は、番組編成情報をユーザに対して表示し、ユーザはタッチスクリーン２０１を用いて所望の番組を選択することができる。マルチメディア制御システム２００は、その後、マルチメディア娯楽システム（機器）１０２のうち１つ以上にコマンドを送信して所望の番組編成を選択する。
【００４２】
図４は、マルチメディア制御システムの一実施形態のブロック図であって、マルチメディア制御システム１０１は、図３に示すようなマルチメディア機器３０１から番組編成情報を、インターネットまたは他の通信チャネル（例えば衛星ラジオなど）を介して情報サーバ４０２から補足情報を取得する。補足情報は、マルチメディア機器３０１を介して与えられる番組編成情報を補って増強し充実させるために用いることができる。一実施形態において、情報サーバ４０２は、番組編成情報に関連してアイコン、グラフィックス、および／またはテキストを与える。一実施形態において、情報サーバ４０２は、制御システム１０１上に表示する比較的低解像度のビデオをビデオアイコンおよび／またはビデオプレビュー画面として与える。
【００４３】
補足情報は、番組編成情報に関連して与えられない最新の情報、歴史的情報、追加の詳細等を含む。例えば、スポーツイベントに関する番組について、補足情報は現在の得点を含んでもよい。映画に関する番組については、補足情報は、映画の製作年、批評、歴史的背景、俳優の名前、監督、その他を含んでもよい。ニュース番組やドキュメンタリーについては、補足情報は、現在のニュース報道の主題を含んでもよい。
【００４４】
図５は、マルチメディア制御システムの一実施形態のブロック図であって、マルチメディア制御システム１０１は情報サーバ４０２から番組編成情報と補足情報とを取得する。一実施形態において、制御システム１０１は、情報サーバ４０２から番組編成情報をバッチ処理的（例えば、１週間分の番組編成、１ヶ月分の番組編成、その他）に受信して、制御システム１０１により格納される。インターネット接続が一時的に利用できなくなる場合でも、マルチメディア制御システム１０１は格納された番組編成情報からユーザに番組編成情報を提示することができる。
【００４５】
マルチメディア制御システム１０１のシステムセットアップの際、ユーザは、ユーザが設置したテレビサービス（例えば、サービスを提供する衛星テレビ会社やケーブルテレビ会社）があればそれを指定し、ユーザが有するサービスの種類（例えば、基本ケーブル、プレミアムチャンネルつき基本ケーブル、その他）を指定する。マルチメディア制御システム１０１は、このような情報を情報サーバ４０２に転送して、情報サーバ４０２がどの番組編成をマルチメディア制御システム１０１に送信すればよいかわかるようにする。
【００４６】
図６は、リスティング番組編成情報を含むタッチスクリーン２０３上のディスプレイページ６００であって、比較的多数のチャンネルについての番組編成が示される。ボタンのマトリクス６０１は、番組編成の選択肢を表示する。図６に示す例では、ボタン６０２はフットボールの試合に対応し、ボタン６０３はＣＮＮに対応し、ボタン６０４はテレビ番組に対応する、などとなっている。「ボタン」は、タッチスクリーン２０３上の領域に対応するグラフィカルユーザインターフェース（ＧＵＩ）ボタンである。一実施形態において、各ボタンはそれぞれ別の番組編成チャンネルに対応する（例えばケーブルまたは衛星チャンネル）。一実施形態において、これらのボタンのうち１つ以上は、ＰＶＲ１０５上に記録された番組、ＤＶＤプレーヤー１０４のＤＶＤのコンテンツ、その他に対応してもよい。ボリューム制御ボタン６３３は、ユーザがマルチメディア娯楽システム１０２からの音量を変更できるようにする。番組編成情報の提供に加えて、システム１０１は、普通リモートコントロールに関連付けられている機能を備える。「機器」ボタン６２５は、ユーザが図８に示す機器制御画面８００を選択することができるようにする。
【００４７】
ボタン６２６およびボタン６２７は、ユーザがマトリクス６０１を横方向にスクロールできるようにする。ボタン６２８およびボタン６２９は、ユーザがマトリクス６０１を縦方向にスクロールできるようにする。図６では、マトリクス内のボタンは同一時間枠の別のチャンネルに対応する。時間枠は（例えば、現在の時刻や１時間後など）、ユーザにより選択される。これにより、比較的多数のチャンネルを画面上に表示することができる。図７は、ディスプレイ画面であって、マトリクス６０１の横軸が時間、マトリクス６０１の縦軸が別のチャンネルに対応する。ユーザは、図６に示すマトリクス形式と図７に示すマトリクス形式との間で切り替えることができる。ユーザは、マトリクスの一方がチャンネルに対応し他方が番組編成ジャンルに対応するモードを選択することもできる。ユーザは、マトリクスの一方が時間に対応し他方が番組編成ジャンルに対応するモードを選択することもできる。ボタン６２１は、ユーザがマトリクスの少なくとも一方の軸が「時間」に対応するよう指示できるようにする。ボタン６２２は、ユーザがマトリクスの少なくとも一方の軸が「チャンネル」に対応するよう指示できるようにする。ボタン６２３は、ユーザがマトリクスの少なくとも一方の軸が番組編成ジャンルに対応するよう指示できるようにする。ボタン６２４は、ユーザがマトリクスの少なくとも一方の軸がユーザのお気に入りに対応する指示できるようにする。したがって、例えば、一方の軸に時間、他方にお気に入りを選択することにより、ユーザは、ユーザのお気に入り番組がいつ利用可能であるかを示すマトリクス６０１を生成することができる。
【００４８】
ユーザは、タッチスクリーン２０３にタッチすることにより、ハイライトボタンを選択することができる。ユーザは、「見る」ボタン６３１を押下することにより選択されたボタンに対応する番組を見ることができる。一実施形態において、ユーザは、マトリクスボタンをダブルクリックして、対応する番組を見ることができる。一実施形態において、ユーザは、マトリクスボタンを「開」いて図６のウィンドウ６１０に示すような追加情報を表示することができる。ウィンドウ６１０は、マイクロソフトウィンドウズ（登録商標）のダイアログボックスに類似のものである。ウィンドウ６１０は、マトリクスボタンよりも大きいため、より多くの情報を表示することができる。一実施形態において、ウィンドウ６１０は、例えば、開始時間、終了時間、俳優の名前、賞、批評、番組に関する歴史的情報、その他の、追加テキストを含む。一実施形態において、ウィンドウ６１０は、番組の実際の映像（フルモーションビデオ、スローモーションビデオ、静止画像、またはその他）が表示されるビデオ領域を含む。一実施形態において、ウィンドウ６１０は、「録画」ボタン６３４を含み、ユーザがビデオレコーダ、ＰＶＲ、その他への番組の録画を指示できるようにする。
「アイコン」ボタン６３５は、ユーザがウィンドウ６１０を閉じることができるようにする。
【００４９】
一実施形態において、補足情報は情報サーバ４０２から得られる。したがって、図６において、ボタン６０２は現在の得点、ボタン６０３はニュース項目の主題、ボタン６０４はその放映回のタイトル、などを示す。
【００５０】
図６および図７に示すボタン６０９は、ボタン６０９の四隅に４個のサブボタン（説明のため、円で示す）を備える追加形式を示す。ユーザは、マトリクス６０１内のボタンの一部または全部を選択してボタン６０９の形式を用いることができる。４個のサブボタンのそれぞれは、例えば、「見る」、「開く」などの機能を備える。一実施形態において、ユーザはこれらのサブボタンのうち１つ以上の機能を指定することができる。ボタン６０９のサブボタンを円で示すのは、単に説明の目的による。一実施形態において、サブボタンは目に見えるようには示されず、例えば、二等分（例えば、上下、左右）、四等分、またはボタン６０９のその他のサブ領域など、おおむねそのボタンのサブ領域に対応する。ボタン６０９の１つのサブ領域にタッチすることにより第１の機能（例えば、開く）を生成し、ボタン６０９の第２サブ領域にタッチすることにより第２の機能を生成する。
【００５１】
一実施形態において、ディスプレイ画面２０３上のボタンのうち１つ以上は、シングルタッチまたはダブルタッチ（マウスによるボタンクリックのシングルクリックとダブルクリックに類似）に反応する。シングルタッチは第１の動作を行わせ、ダブルタッチは第２の動作を行わせる。
【００５２】
一実施形態において、ディスプレイ画面２０３上のボタンのうち１つ以上は、ボタンにタッチする長さに反応する。したがって、一実施形態において、比較的短いタッチは第１の動作を行わせ、比較的長いタッチが第２の動作を行わせる。
【００５３】
一実施形態において、ディスプレイ画面２０３上のボタンのうち１つ以上は、タッチの圧力に反応する。したがって、一実施形態において、比較的軽いタッチは第１の動作を行わせ、比較的強いタッチ（圧力が大きい）は第２の動作を行わせる。
【００５４】
一実施形態において、サブ領域、シングル／ダブルタッチ、タッチの長さ、および／またはタッチの圧力の組み合わせを用いて、異なる機能を行ってもよい。
【００５５】
一実施形態において、ユーザはマトリクス６０１内のボタンのサイズを選択することができる。比較的小さなボタンサイズを選択すれば、１度により多くのボタン（ひいては、より多くの番組またはチャンネル）を画面上に表示することができる。比較的大きなボタンサイズを選択すれば、表示されるボタンの数は少なくなるが、大きなフォントを使うことができるのでボタンが読みやすくなる。ユーザは、マトリクス６０１内のボタンのサイズ、およびボタンのテキストに用いられるフォントサイズを選択することができる。
【００５６】
一実施形態において、ユーザは、画面上のスペースがユーザの関心のないチャンネル（例えば、買い物チャンネル、ペイパービューチャンネル、その他）に対応するボタンに用いられないように、選択した番組編成チャンネルをブロックすることができる。同様に、ユーザは、画面上のスペースがユーザの関心のないジャンル（例えば、スポーツ、シットコム、その他）に対応するボタンに用いられないように、選択された番組編成ジャンルをブロックすることができる。
【００５７】
一実施形態において、マトリクス６０１の１つ以上のボタンは、ユーザに追加情報を伝達するために、ハイライト（例えば、色分け、縁取り、その他）、ネガティブハイライト（例えば、淡色表示、色分け、その他）など、特別の指示を含んでもよい。一実施形態において、ユーザは、好みのジャンル、番組、その他を指定することができ、このような好みに対応するマトリクス６０１のボタンをハイライトしてもよい。現在コマーシャルを放送しているチャンネルに対応するボタンは、ネガティブハイライトで表示されてもよい。一実施形態において、ペイパービューチャンネルに対応するボタンが指示される。例えば、図６および図７では、ボタン６０５をハイライトして対応するチャンネルでは現在コマーシャルが放送されていることを示している。任意の時間にどのチャンネルでコマーシャルを放送しているかについての情報は、情報サーバ４０２により提供される。
【００５８】
一実施形態において、情報サーバ４０２へのアクセスはサブスクリプションに基づいて行われる。一実施形態において、ユーザは、番組編成情報などの比較的静的な情報を提供する比較的低コストのサブスクリプションを選択することができる。一実施形態において、ユーザは、例えば、コマーシャルを放送しているチャンネル、現在のスポーツの得点（例えばボタン６０２に示すような）、現在の番組コンテンツ（例えばボタン６０３に示すような）、その他の時間依存の補足情報を含む、グレードアップしたサブスクリプションを選択することができる。
【００５９】
一実施形態において、マトリクス６０１のボタンはテキストを含む。一実施形態において、マトリクス６０１のボタンは番組ジャンルを示すアイコンを含む。一実施形態において、マトリクス６０１のボタンは番組を示すアイコン（例えば、番組ロゴ、俳優の写真、その他）を含む。
【００６０】
一実施形態において、マトリクス６０１のボタンのうち１つ以上は、そのボタン内に番組をビデオで表示するビデオ部分を含む。
【００６１】
図８に、１つ以上のマルチメディア機器を制御するディスプレイ画面８００を示す。ボタン８２１はＡＶ受信機１０３を選択し、ボタン８２２はビデオレコーダを選択し、ボタン８２３はＳＴＢ１０６を選択し、ボタン８２４はＤＶＤプレーヤー１０４を選択し、ボタン８２５はＰＶＲ１０５を選択し、ボタン８２６はテレビ１１０を選択し、ボタン８２７は第１のスピーカを選択し、ボタン８２８は第２のスピーカを選択する。システム１０１を起動する際、ユーザは、リストからマルチメディア機器を選択する（または、新しいマルチメディア機器のエントリーをリスト上に作成する）。選択された機器は、画面８００に表示される。したがって、例えば、ユーザが、テレビ、ＳＴＢ、ＤＶＤプレーヤー、およびＡＶ受信機のみを含むマルチメディアシステムを有している場合、ユーザは、セットアップリストからテレビ、ＳＴＢ、ＤＶＤ、およびＡＶ受信機を選択し、画面８００はボタン８２５またはボタン８２２を表示しない。ユーザがマルチメディアシステムにＰＶＲを追加する場合、ユーザは設定画面に行き、ＰＶＲを機器リストに追加する。すると、ボタン８２５が画面８００に表示される。
【００６２】
システムセットアップの一部として、ユーザは利用可能な機器と各機器のメーカーおよび型番を指定する。メーカーおよび型番がわかれば、システム１０１は適切なリモートコントロールコードを選択してそのマルチメディア機器を制御することができる。
【００６３】
一実施形態において、システム１０１は、例えば、ホームオートメーション機器、住宅用警報装置、冷暖房装置、その他など、追加の機器の制御に用いることができる。したがって、例えば、リモートにプログラム可能なサーモスタットを備える家庭において、ユーザはシステム１０１を用いてサーモスタットの設定温度を変更したり、冷暖房を入れたりすることなどができる。
【００６４】
一実施形態において、システム１０１はインターネット閲覧に用いることができるインターネットブラウザソフトウェアとタッチスクリーン２０３とを含む。
【００６５】
図９に、１つ以上のマルチメディア機器を制御するディスプレイ画面マップを示す。
【００６６】
一実施形態において、情報サーバ４０３により提供される番組編成データおよび／または補足データは、サブスクリプションサービスとして提供される。
【００６７】
以上、マルチメディア機器に関連して説明をしたが、当該技術分野における通常の技術を有する者においては、制御システム１０１は、例えば、ラジオ放送、衛星ラジオ、インターネットラジオ、その他のようなオーディオ番組編成に関連して用いることもできることが認識されよう。
【００６８】
一実施形態において、システム１０１は、パーソナルコンピュータ、ノート型コンピュータ、またはタブレット型コンピュータなどで実行されるコンピュータプログラムとして実施される。当該技術分野における通常の技術を有する者においては、システム１０１がタッチスクリーンのないコンピュータで実施される場合、ユーザは、コンピュータマウス、ジョイスティック、トラックボール、その他を用いてディスプレイ画面２０２上のＧＵＩ要素を選択することができることが認識されよう。
【００６９】
図１０に、リピーター１６０の一実施形態を示す。リピーター１６０において、機器インターフェース２０６およびリモートコントロールインターフェース２０７が、プロセッサ１００１に備えられる。プロセッサ１００１は、また、無線制御システムインターフェース１００２を備える。無線制御システムインターフェース１００２は、リピーターインターフェース２３０と無線通信するように構成される。機器インターフェース２０６は、有線または無線であってよい。一実施形態において、機器インターフェース２０６と制御システムインターフェース１００２とを組み合わせて１つの無線インターフェースとする。一実施形態において、制御インターフェース１００２は、ネットワークインターフェース（例えば無線ＬＡＮインターフェース）として構成される。
【００７０】
以上、各種の実施形態について説明したが、その他の実施形態も当該技術分野における通常の技術を有する者の技術の範囲にある。したがって、本発明は、添付の特許請求の範囲によってのみ制限されるものである。
【図面の簡単な説明】
【００７１】
【図１Ａ】マルチメディア娯楽システムに関連して用いられるマルチメディア制御システムを示す図である。
【図１Ｂ】リピーターがマルチメディア制御システムとマルチメディア娯楽システム内の機器との間の通信をリレーするようにした、マルチメディア娯楽システムに関連して用いられるマルチメディア制御システムを示す図である。
【図１Ｃ】マルチメディア制御システムの一実施形態を示す図である。
【図１Ｄ】ドッキングステーションを有する図１Ｂのマルチメディア制御システムを示す図である。
【図２】マルチメディア制御システムを示すブロック図である。
【図３】セットトップボックス、デジタル式ビデオ録画再生装置などのマルチメディア機器から番組編成情報を取得するようにした、マルチメディア制御システムの一実施形態を示すブロック図である。
【図４】セットトップボックス、デジタル式ビデオ録画再生装置などのマルチメディア機器から番組編成情報と、情報サーバから補足情報とを取得するようにした、マルチメディア制御システムの一実施形態を示すブロック図である。
【図５】情報サーバから番組編成情報と補足情報とを取得するようにした、マルチメディア制御システムの一実施形態を示すブロック図である。
【図６】比較的多数のチャンネルについての番組編成が示されるようにした、リスティング番組編成情報を含むディスプレイ画面を示す図である。
【図７】多数のチャンネルと時間枠についての番組編成が示されるようにした、リスティング番組編成情報を含むディスプレイ画面を示す図である。
【図８】１つ以上のマルチメディア機器を制御するディスプレイ画面を示す図である。
【図９】１つ以上のマルチメディア機器を制御するディスプレイ画面マップを示す図である。
【図１０】リピーターの一実施形態を示す図である。
【図１Ａ】
2008519550.tif 000003
【図１Ｂ】
2008519550.tif 000004
【図１Ｃ】
2008519550.tif 000005
【図１Ｄ】
2008519550.tif 000006
【図２】
2008519550.tif 000007
【図３】
2008519550.tif 000008
【図４】
2008519550.tif 000009
【図５】
2008519550.tif 000010
【図６】
2008519550.tif 000011
【図７】
2008519550.tif 000012
【図８】
2008519550.tif 000013
【図９】
2008519550.tif 000014
【図１０】
2008519550.tif 000015
【国際調査報告】
2008519550.tif 000016
2008519550.tif 000017
2008519550.tif 000018